(57)【要約】一次同期符号（ＰＳＣ）シーケンス及び二次同期符号（ＳＳＣ）シーケンスを、無線通信システム内のセルに割り当てる技術が説明される。少なくとも１つのＰＳＣシーケンス及び複数のＳＳＣシーケンスが、ノードＢ内の複数のセルのために用いられうる。１つの設計において、システム内の利用可能なＳＳＣシーケンスはグループに構成され、各グループは、Ｍ個の異なるＳＳＣシーケンスを含む。Ｍ個のＳＳＣシーケンスの追加のグループが、異なる順列（例えば、循環シフト）を用いて形成されうる。１つの設計において、３つのＳＳＣシーケンスＳＳＣ（Ｇ１）、ＳＳＣ（Ｇ２）、及びＳＳＣ（Ｇ３）が、１つのノードＢ内の３つのセルのために用いられうる。ＳＳＣ（Ｇ３）、ＳＳＣ（Ｇ１）、及びＳＳＣ（Ｇ２）を含む第１の順列が、別のノードＢ内の３つのセルのために用いられうる。ＳＳＣ（Ｇ２）、ＳＳＣ（Ｇ３）、及びＳＳＣ（Ｇ１）を含む第２の順列が、また別のノードＢ内の３つのセルのために用いられうる。
2010529722.tif 000002
【特許請求の範囲】
【請求項１】
無線通信システムにおいて同期信号を送信する方法であって、
第１のノードＢ内の複数のセルのために少なくとも１つの一次同期符号（ＰＳＣ）シーケンスを用いることと、
前記第１のノードＢ内の複数のセルのために複数の二次同期符号（ＳＳＣ）シーケンスを用いることとを備え、
複数のＳＳＣシーケンスの異なる順列が、第２のノードＢ内の複数のセルのために用いられる方法。
【請求項２】
前記第１のノードＢ内の各セルのためのＰＳＣシーケンス及びＳＳＣシーケンスを、前記セルのセル・アイデンティティ（ＩＤ）に基づいて決定することを更に備える請求項１に記載の方法。
【請求項３】
前記第１のノードＢ内の複数のセルと、前記第２のノードＢ内の複数のセルとは、異なるセル・アイデンティティ（ＩＤ）を割り当てられ、ＰＳＣシーケンスとＳＳＣシーケンスとの異なる組合せが、前記第１のノードＢ及び前記第２のノードＢ内の各セルのために用いられる請求項１に記載の方法。
【請求項４】
前記第１のノードＢ内の各セルのための一次同期信号を、前記セルのためのＰＳＣシーケンスに基づいて生成することと、
前記第１のノードＢ内の各セルのための二次同期信号を、前記セルのためのＳＳＣシーケンスに基づいて生成することと
を更に備える請求項１に記載の方法。
【請求項５】
前記第１のノードＢ内の複数のセルのために少なくとも１つのＰＳＣシーケンスを用いることは、前記第１のノードＢ内の隣接するセルのために異なるＰＳＣシーケンスを用いることを備える請求項１に記載の方法。
【請求項６】
前記第１のノードＢ内の複数のセルのために少なくとも１つのＰＳＣシーケンスを用いることは、前記第１のノードＢ内の複数のセル全てのために単一のＰＳＣシーケンスを用いることを備える請求項１に記載の方法。
【請求項７】
前記第１のノードＢ内の複数のセルのために少なくとも１つのＰＳＣシーケンスを用いることは、前記第１のノードＢ内の複数のセルの各々のために異なるＰＳＣシーケンスを用いることを備える請求項１に記載の方法。
【請求項８】
前記第１のノードＢ内の複数のセルのために複数のＳＳＣシーケンスを用いることは、前記第１のノードＢ内の複数のセルの各々のために異なるＳＳＣシーケンスを用いることを備える請求項１に記載の方法。
【請求項９】
前記無線通信システム内で利用可能なＳＳＣシーケンスは、Ｍ個のＳＳＣシーケンスの複数のオリジナル・グループに構成され、Ｍ個のＳＳＣシーケンスの追加のグループが、Ｍ個のＳＳＣシーケンスの各オリジナル・グループの異なる順列に基づいて形成され、各ノードＢ内のセルは、Ｍ個のＳＳＣシーケンスの１つのグループを割り当てられ、Ｍは、１より大きい整数である請求項１に記載の方法。
【請求項１０】
前記Ｍ個のＳＳＣシーケンスの追加のグループは、Ｍ個のＳＳＣシーケンスの各オリジナル・グループの異なる循環シフトに基づいて形成される請求項９に記載の方法。
【請求項１１】
前記第１のノードＢ内の複数のセルのために少なくとも１つのＰＳＣシーケンスを用いることは、前記第１のノードＢ内の３つのセルのために３つのＰＳＣシーケンスを用いることを備え、前記第１のノードＢ内の複数のセルのために複数のＳＳＣシーケンスを用いることは、前記第１のノードＢ内の３つのセルのために３つのＳＳＣシーケンスを用いることを備え、前記３つのＳＳＣシーケンスの順列が、前記第２のノードＢ内の３つのセルのために用いられる請求項１に記載の方法。
【請求項１２】
前記第１のノードＢ内の複数のセルのために複数のＳＳＣシーケンスを用いることは、前記第１のノードＢ内の３つのセル１、２、及び３のために、３つのＳＳＣシーケンスＳＳＣ（Ｇ１）、ＳＳＣ（Ｇ２）、及びＳＳＣ（Ｇ３）をそれぞれ用いることを備え、Ｇ１、Ｇ２、及びＧ３は、３つのＳＳＣシーケンスのインデクスであり、ＳＳＣ（Ｇ３）、ＳＳＣ（Ｇ１）、及びＳＳＣ（Ｇ２）を備える第１の順列、又はＳＳＣ（Ｇ２）、ＳＳＣ（Ｇ３）、及びＳＳＣ（Ｇ１）を備える第２の順列が、第２のノードＢ内のセル１、２、及び３のためにそれぞれ用いられる請求項１に記載の方法。
【請求項１３】
前記複数のＳＳＣシーケンスは、共に割り当てられ、同じノードＢ内に属するセルを識別するために用いられる請求項１に記載の方法。
【請求項１４】
前記第１のノードＢと前記第２のノードＢとのうちの多くとも１つからのセルが、前記無線通信システム内の任意のユーザ機器（ＵＥ）によって検出可能であるように、前記第１のノードＢと前記第２のノードＢとが間隔を空けられる請求項１に記載の方法。
【請求項１５】
無線通信のための装置であって、
第１のノードＢ内の複数のセルのために少なくとも１つの一次同期符号（ＰＳＣ）シーケンスを用い、前記第１のノードＢ内の複数のセルのために複数の二次同期符号（ＳＳＣ）シーケンスを用いるように構成され、前記複数のＳＳＣシーケンスの異なる順列が、第２のノードＢ内の複数のセルのために用いられる少なくとも１つのプロセッサを備える装置。
【請求項１６】
前記第１のノードＢ内の複数のセルと、前記第２のノードＢ内の複数のセルとは、異なるセル・アイデンティティ（ＩＤ）を割り当てられ、ＰＳＣシーケンスとＳＳＣシーケンスとの異なる組合せが、前記第１のノードＢ及び前記第２のノードＢ内の各セルのために用いられる請求項１５に記載の装置。
【請求項１７】
前記少なくとも１つのプロセッサは、前記第１のノードＢ内の複数のセルの各々のために異なるＳＳＣシーケンスを用いるように構成された請求項１５に記載の装置。
【請求項１８】
前記少なくとも１つのプロセッサは、前記第１のノードＢ内の３つのセル１、２、及び３のために、３つのＳＳＣシーケンスＳＳＣ（Ｇ１）、ＳＳＣ（Ｇ２）、及びＳＳＣ（Ｇ３）をそれぞれ用いるように構成され、Ｇ１、Ｇ２、及びＧ３は、３つのＳＳＣシーケンスのインデクスであり、ＳＳＣ（Ｇ３）、ＳＳＣ（Ｇ１）、及びＳＳＣ（Ｇ２）を備える第１の順列、又はＳＳＣ（Ｇ２）、ＳＳＣ（Ｇ３）、及びＳＳＣ（Ｇ１）を備える第２の順列が、前記第２のノードＢ内のセル１、２、及び３のためにそれぞれ用いられる請求項１５に記載の装置。
【請求項１９】
無線通信のための装置であって、
第１のノードＢ内の複数のセルのために少なくとも１つの一次同期符号（ＰＳＣ）シーケンスを用いる手段と、
前記第１のノードＢ内の複数のセルのために複数の二次同期符号（ＳＳＣ）シーケンスを用いる手段とを備え、
前記複数のＳＳＣシーケンスの異なる順列が、第２のノードＢ内の複数のセルのために用いられる装置。
【請求項２０】
前記第１のノードＢ内の複数のセルと、前記第２のノードＢ内の複数のセルとは、異なるセル・アイデンティティ（ＩＤ）を割り当てられ、ＰＳＣシーケンスとＳＳＣシーケンスとの異なる組合せが、前記第１のノードＢ及び前記第２のノードＢ内の各セルのために用いられる請求項１９に記載の装置。
【請求項２１】
前記第１のノードＢ内の複数のセルのために複数のＳＳＣシーケンスを用いる手段は、前記第１のノードＢ内の複数のセルの各々のために異なるＳＳＣシーケンスを用いる手段を備える請求項１９に記載の装置。
【請求項２２】
前記第１のノードＢ内の複数のセルのために複数のＳＳＣシーケンスを用いる手段は、前記第１のノードＢ内の３つのセル１、２、及び３のために、３つのＳＳＣシーケンスＳＳＣ（Ｇ１）、ＳＳＣ（Ｇ２）、及びＳＳＣ（Ｇ３）をそれぞれ用いる手段を備え、Ｇ１、Ｇ２、及びＧ３は、３つのＳＳＣシーケンスのインデクスであり、ＳＳＣ（Ｇ３）、ＳＳＣ（Ｇ１）、及びＳＳＣ（Ｇ２）を備える第１の順列、又はＳＳＣ（Ｇ２）、ＳＳＣ（Ｇ３）、及びＳＳＣ（Ｇ１）を備える第２の順列が、前記第２のノードＢ内のセル１、２、及び３のためにそれぞれ用いられる請求項１９に記載の装置。
【請求項２３】
少なくとも１つのコンピュータに、第１のノードＢ内の複数のセルのために少なくとも１つの一次同期符号（ＰＳＣ）シーケンスを用いさせるコードと、
前記少なくとも１つのコンピュータに、前記第１のノードＢ内の複数のセルのために複数の二次同期符号（ＳＳＣ）シーケンスを用いさせるコードとを備えるコンピュータ読取可能媒体を備えるコンピュータ・プログラム製品であって、
前記複数のＳＳＣシーケンスの異なる順列が、第２のノードＢ内の複数のセルのために用いられるコンピュータ・プログラム製品。
【請求項２４】
無線通信システムにおいてセルを検出する方法であって、
検出可能な範囲内のノードＢ内のセルからの一次同期符号（ＰＳＣ）シーケンスを検出することであって、各ノードＢは複数のセルを備え、各ノードＢ内の複数のセルは少なくとも１つのＰＳＣシーケンスを用いることと、
検出されたＰＳＣシーケンスを用いて、セルからの二次同期符号（ＳＳＣ）シーケンスを検出することであって、各ノードＢ内の前記複数のセルは、複数のＳＳＣシーケンスの異なるグループを用い、前記検出可能な範囲内の第１のノードＢ内の複数のセルのための複数のＳＳＣシーケンスのグループの順列が、前記検出可能な範囲外の第２のノードＢ内の複数のセルのために用いられることと、
検出されたＰＳＣシーケンスと検出されたＳＳＣシーケンスとに基づいて、検出されたセルを識別することと
を備える方法。
【請求項２５】
検出された各セルのセル・アイデンティティ（ＩＤ）を、前記セルのための検出されたＰＳＣシーケンスと検出されたＳＳＣシーケンスとに基づいて決定することを更に備える請求項２４に記載の方法。
【請求項２６】
各ノードＢ内の前記複数のセルのために用いられた前記複数のＳＳＣシーケンスの異なるグループに基づいて、同じノードＢ内の検出されたセルを識別することを更に備える請求項２４に記載の方法。
【請求項２７】
前記ＰＳＣシーケンスを検出することは、前記検出可能な範囲内の各ノードＢ内の３つのセルからの少なくとも１つのＰＳＣシーケンスを検出することを備え、前記ＳＳＣシーケンスを検出することは、検出されたＰＳＣシーケンスを用いてセルからのＳＳＣシーケンスを検出することを備え、各ノードＢ内の前記３つのセルは、３つのＳＳＣシーケンスの異なるグループを用い、前記第１のノードＢ内の３つのセルのための３つのＳＳＣシーケンスのグループの順列は、前記第２のノードＢ内の３つのセルのために用いられる請求項２４に記載の方法。
【請求項２８】
前記検出可能な範囲内のノードＢ内のセルからのＰＳＣシーケンスを検出することは、
前記検出可能な範囲内のノードＢ内のセルからの一次同期信号を検出することと、
検出された一次同期信号を用いて、各セルのためのＰＳＣシーケンスを識別することと
を備える請求項２４に記載の方法。
【請求項２９】
前記検出されたＰＳＣシーケンスを用いて、セルからのＳＳＣシーケンスを検出することは更に、
検出された一次同期信号に基づいて、前記検出された一次同期信号を用いて、各セルのためのチャネル推定を導出することと、
前記セルのためのチャネル推定に基づいて、検出された一次同期信号を用いて、各セルからの二次同期信号を検出することと
を更に備える請求項２８に記載の方法。
【請求項３０】
前記検出されたＰＳＣシーケンスを用いて、セルからのＳＳＣシーケンスを検出することは、
検出された一次同期信号を用いて、各セルからの二次同期信号を検出することと、
検出された二次同期信号を用いて、各セルのためのＳＳＣシーケンスを識別することと
を更に備える請求項２８に記載の方法。
【請求項３１】
検出された二次同期信号に基づいて、前記検出された二次同期信号を用いて、各セルのためのチャネル推定を導出することと、
前記各セルのためのチャネル推定に基づいて、検出された二次同期信号を用いて、前記各セルからの少なくとも１つの物理チャネルを復調することと
を更に備える請求項３０に記載の方法。
【請求項３２】
無線通信のための装置であって、
検出可能な範囲内のノードＢ内のセルからの一次同期符号（ＰＳＣ）シーケンスを検出し、検出されたＰＳＣシーケンスを用いて、セルからの二次同期符号（ＳＳＣ）シーケンスを検出し、検出されたＰＳＣシーケンスと検出されたＳＳＣシーケンスとに基づいて、検出されたセルを識別するように構成された少なくとも１つのプロセッサを備え、各ノードＢは複数のセルを備え、各ノードＢ内の前記複数のセルは、少なくとも１つのＰＳＣシーケンスと、複数のＳＳＣシーケンスの異なるグループとを用い、前記検出可能な範囲内の第１のノードＢ内の複数のセルのための複数のＳＳＣシーケンスのグループの順列は、前記検出可能な範囲外の第２のノードＢ内の複数のセルのために用いられる装置。
【請求項３３】
前記少なくとも１つのプロセッサは、前記検出可能な範囲内の各ノードＢ内の３つのセルからの少なくとも１つのＰＳＣシーケンスを検出し、検出されたＰＳＣシーケンスを用いてセルからのＳＳＣシーケンスを検出するように構成され、各ノードＢ内の３つのセルは、３つのＳＳＣシーケンスの異なるグループを用い、前記第１のノードＢ内の３つのセルのための３つのＳＳＣシーケンスのグループの順列は、前記第２のノードＢ内の３つのセルのために用いられる請求項３２に記載の装置。
【請求項３４】
前記少なくとも１つのプロセッサは、前記検出可能な範囲内のノードＢ内のセルからの一次同期信号を検出し、検出された一次同期信号を用いて、各セルのためのＰＳＣシーケンスを識別するように構成された請求項３２に記載の装置。
【請求項３５】
前記少なくとも１つのプロセッサは、検出された一次同期信号に基づいて、前記検出された一次同期信号を用いて、各セルのためのチャネル推定を導出し、前記各セルのためのチャネル推定に基づいて、検出された一次同期信号を用いて、前記各セルからの二次同期信号を検出するように構成された請求項３４に記載の装置。
【請求項３６】
前記少なくとも１つのプロセッサは、検出された一次同期信号を用いて、各セルからの二次同期信号を検出し、検出された二次同期信号を用いて、各セルのためのＳＳＣシーケンスを識別するように構成された請求項３４に記載の装置。
【請求項３７】
前記少なくとも１つのプロセッサは、検出された二次同期信号に基づいて、前記検出された二次同期信号を用いて、各セルのためのチャネル推定を導出し、前記各セルのためのチャネル推定に基づいて、検出された二次同期信号を用いて、前記各セルからの少なくとも１つの物理チャネルを復調するように構成された請求項３６に記載の装置。
【発明の詳細な説明】
【優先権主張】
【０００１】
本願は、本願の譲受人に譲渡され、参照によって本願に組み込まれた、２００７年５月２１日出願の“A METHOD AND APPARATUS FOR SSC GROUPING IN A WIRELESS COMMUNICATION SYSTEM”と題された米国特許仮出願第６０／９３９，３２１号に対する優先権を主張する。
【技術分野】
【０００２】
本開示は、一般に通信に関し、特に、無線通信システムのための同期化技術に関する。
【背景技術】
【０００３】
無線通信システムは、例えば音声、ビデオ、パケット・データ、メッセージング、ブロードキャスト等のような様々な通信コンテンツを提供するために広く開発されている。これらの無線システムは、利用可能なシステム・リソースを共有することによって多くのユーザをサポートすることができる多元接続システムであることができる。そのような多元接続システムに例は、符号分割多元接続（ＣＤＭＡ）システム、時分割多元接続（ＴＤＭＡ）システム、周波数分割多元接続（ＦＤＭＡ）システム、直交ＦＤＭＡ（ＯＦＤＭＡ）システム、単一キャリアＦＤＭＡ（ＳＣ−ＦＤＭＡ）システムを含む。
【０００４】
無線通信システムは、任意の数のユーザ機器（ＵＥ）のための通信をサポートすることができる任意の数のノードＢを含むことができる。各ノードＢは、１つ又は複数のセルをサポートすることができる。ここで、「セル」という用語は、ノードＢの最小カバレージ領域、及び／又は、そのカバレージ領域にサービス提供しているノードＢサブシステムを称することができる。ＵＥ（例えばセルラ電話）は、任意の与えられた時間に、１つ又は複数のセルのカバレージ内に存在することができる。ＵＥは、電源が入った直後であったり、カバレージを失った可能性があるので、どのセルが受信されうるかを知らないことがある。ＵＥは、セルを検出し、検出したセルのタイミング及びその他の情報を取得するために、セル探索を実行することができる。
【０００５】
各セルは、ＵＥがセル探索を実行するのを支援するために、一次同期信号及び二次同期信号を送信することができる。一般に、同期信号は、受信機が送信機を検出し、送信機のタイミング及び／又は送信機に関するその他の情報を取得することを支援する任意の信号であることができる。同期信号はオーバヘッドを表し、可能な限り効率的に送信されなければならない。更に、同期信号は、ＵＥが迅速かつ効率的にセル探索を実行することを可能としなければならない。
【発明の概要】
【０００６】
本明細書において、一次同期符号（ＰＳＣ）シーケンス及び二次同期符号（ＳＳＣ）シーケンスを無線通信システム内のセルに割り当てる技術が説明される。これらの技術は、ＵＥのセル検出性能を改善することができる。
【０００７】
１つの設計において、少なくとも１つのＰＳＣシーケンス及び複数のＳＳＣシーケンスが、ノードＢ内の複数のセルのために用いられうる。各セルが、そのセルのセル・アイデンティティ（ＩＤ）に基づいて決定されうるＰＳＣシーケンス及びＳＳＣシーケンスを割り当てられうる。一次同期信号が、各セルのために、そのセルのためのＰＳＣシーケンスに基づいて生成されうる。二次同期信号が、各セルのために、そのセルのためのＳＳＣシーケンスに基づいて生成されうる。各セルのための一次同期信号及び二次同期信号は、ＵＥがセル探索を実行することを支援するために送信されうる。
【０００８】
１つの設計において、システム内の利用可能なＳＳＣシーケンスは、グループに構成されうる。各グループは、Ｍ個のＳＳＣシーケンスを含む。ここで、Ｍは１より大きい。Ｍ個のＳＳＣシーケンスの各グループについて、そのＭ個のＳＳＣシーケンスのグループの異なる順列（例えば、異なる循環シフト）を用いて、Ｍ個のＳＳＣシーケンスの追加のグループが形成されうる。Ｍ個のＳＳＣシーケンスの異なるグループは、異なるノードＢ内のセルに割り当てられうる。Ｍ個のＳＳＣシーケンスの与えられたグループの異なる順列を割り当てられたノードＢは、それらのノードＢのうちの多くとも１つが任意のＵＥによって検出されることができるように、間隔を空けられうる。
【０００９】
１つの設計において、３つのＰＳＣシーケンスが、ノードＢ内の３つのセルのために用いられうる。３つのＳＳＣシーケンスＳＳＣ（Ｇ１）、ＳＳＣ（Ｇ２）、及びＳＳＣ（Ｇ３）は、ノードＢ内の３つのセルのために用いられる。Ｇ１、Ｇ２、及びＧ３は、３つのＳＳＣシーケンスのインデクスである。（該インデクスの１の循環シフトに対応する）ＳＳＣ（Ｇ３）、ＳＳＣ（Ｇ１）、及びＳＳＣ（Ｇ２）を備える第１の順列はそれぞれ、別のノードＢ内の３つのセル１、２、及び３のために用いられうる。（該インデクスの２の循環シフトに対応する）ＳＳＣ（Ｇ２）、ＳＳＣ（Ｇ３）、及びＳＳＣ（Ｇ１）を備える第２の順列はそれぞれ、また別のノードＢ内の３つのセル１、２、及び３のために用いられうる。この設計により、ＰＳＣシーケンスとＳＳＣシーケンスとの異なる組合せが、３つのノードＢ内の各セルのために用いられる。
【００１０】
本開示の様々な局面及び特徴が、以下で更に詳しく説明される。
【図面の簡単な説明】
【００１１】
【図１】図１は、無線通信システムを示す。
【図２】図２は、一次同期信号及び二次同期信号の送信を示す。
【図３】図３は、ＰＳＣシーケンス及びＳＳＣシーケンスへのセルＩＤのマッピングを示す。
【図４】図４は、ノードＢ及びＵＥのブロック図を示す。
【図５】図５は、同期信号生成器のブロック図を示す。
【図６】図６は、ＵＥの同期プロセッサのブロック図を示す。
【図７】図７は、同期信号を送信する処理を示す。
【図８】図８は、同期信号を送信する装置を示す。
【図９】図９は、セルを検出する処理を示す。
【図１０】図１０は、セルを検出する装置を示す。
【発明を実施する形態】
【００１２】
本明細書で説明される技術は、例えばＣＤＭＡシステム、ＴＤＭＡシステム、ＦＤＭＡシステム、ＯＦＤＭＡシステム、ＳＣ−ＦＤＭＡシステム、及びその他のシステムのような様々な無線通信システムのために用いられうる。「システム」及び「ネットワーク」という用語はしばしば、置換可能に用いられる。ＣＤＭＡシステムは、例えばユニバーサル地上無線接続（ＵＴＲＡ）、ｃｄｍａ２０００等のような無線技術を実施することができる。ＵＴＲＡは、広帯域ＣＤＭＡ（ＷＣＤＭＡ）及びその他様々なＣＤＭＡを含む。ｃｄｍａ２０００は、ＩＳ−２０００規格、ＩＳ−９５規格、及びＩＳ−８５６規格をカバーする。ＴＤＭＡシステムは、例えばグローバル・システム・フォー・モバイル・コミュニケーション（ＧＳＭ）のような無線技術を実施することができる。ＯＦＤＭＡシステムは、例えば次世代ＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭ（登録商標）等のような無線技術を実施することができる。ＵＴＲＡ及びＥ−ＵＴＲＡは、ユニバーサル・モバイル・テレコミュニケーション・システム（ＵＭＴＳ）の一部である。３ＧＰＰロング・ターム・エボリューション（ＬＴＥ）は、近々公開される、Ｅ−ＵＴＲＡを用いたＵＭＴＳであり、ダウンリンクにおいてＯＦＤＭＡを用い、アップリンクにおいてＳＣ−ＦＤＭＡを用いる。ＵＴＲＡ、Ｅ−ＵＴＲＡ、ＵＭＴＳ、ＬＴＥ、及びＧＳＭは、“3rd Generation Partnership Project”（３ＧＰＰ）と名付けられた組織からの文書で説明される。ｃｄｍａ２０００及びＵＭＢは、“3rd Generation Partnership Project 2”（３ＧＰＰ２）と名付けられた組織からの文書で説明される。これら様々な無線技術及び規格は、当該技術において周知である。明確化のために、本技術のある局面は以下でＬＴＥに関して説明され、以下の説明のほとんどの部分でＬＴＥ用語が用いられる。
【００１３】
図１は、複数のノードＢを備える無線通信システム１００を示す。簡略化のために、図１には、３つのノードＢ１１０ａ、１１０ｂ、及び１１０ｃしか示されない。ノードＢは、ＵＥと通信するために用いられる固定局であることができ、次世代ノードＢ（ｅＮＢ）、基地局、アクセス・ポイント等とも称されうる。各ノードＢ１１０は、特定の地理的領域１０２のための通信カバレージを提供する。システム容量を改善するために、ノードＢのカバレージ領域全体が、例えば小さな領域１０４ａ、１０４ｂ、及び１０４ｃのような複数の小さな領域に分割されうる。各小さな領域は、それぞれのノードＢサブシステムによってサービス提供されうる。３ＧＰＰにおいて、「セル」という用語は、ノードＢの最小カバレージ領域、及び／又は、そのカバレージ領域にサービス提供しているノードＢサブシステムを称することができる。他のシステムでは、「セクタ」という用語が、最小カバレージ領域及び／又はそのカバレージ領域にサービス提供しているサブシステムを称することができる。明確化のために、セルの３ＧＰＰ概念が以下の説明において用いられる。
【００１４】
図１に示す例において、各ノードＢ１１０は、異なる地理的領域をカバーする３つのセル１、２、及び３を有する。ノードＢ１１０ａ、１１０ｂ、及び１１０ｃのセルは、同じ周波数又は異なる周波数で動作することができる。明確化のために、図１は、互いにオーバラップしないノードＢのセルを示す。特定の構成において、各ノードＢの隣接するセルは一般に、エッジが互いにオーバラップする。更に、各ノードＢの各セルは一般に、１つ又は複数の隣接するノードＢの１つ又は複数の他のセルと、エッジがオーバラップする。このカバレージ・エッジのオーバラップにより、ＵＥがシステム内を移動すると、ＵＥが任意の場所で１つ又は複数のセルからカバレージを受信することが確実となりうる。
【００１５】
ＵＥ１２０は、システム全体に散在することができ、各ＵＥは、据置式又は移動式であることができる。ＵＥは、モバイル局、端末、アクセス端末、加入者ユニット、局等とも称されうる。ＵＥは、セルラ電話、携帯情報端末（ＰＤＡ）、無線モデム、無線通信デバイス、ハンドヘルド・デバイス、ラップトップ・コンピュータ、コードレス電話等であることができる。ＵＥは、ダウンリンク及びアップリンクでの送信を介してノードＢと通信することができる。ダウンリンク（すなわち順方向リンク）は、ノードＢからＵＥへの通信リンクを称し、アップリンク（すなわち逆方向リンク）は、ＵＥからノードＢへの通信リンクを称する。図１において、２つの矢印を持つ線は、ノードＢとＵＥとの間の通信を示す。１つの矢印を持つ破線は、ＵＥがノードＢからのダウンリンク信号を受信していることを示す。ＵＥは、ノードＢによって送信されたダウンリンク信号に基づいてセル探索を実行することができる。
【００１６】
システム１００において、ノードＢ１１０は、ＵＥ１２０が各ノードＢ内のセルを検出し、例えばタイミング、周波数オフセット、セルＩＤ等のような情報を取得することができるように、定期的に同期信号を送信することができる。同期信号は、様々な方式で生成され、送信されうる。以下で説明される１つの設計において、各ノードＢは、そのノードＢ内の各セルのための一次同期信号及び二次同期信号を定期的に送信する。一次同期信号は、ＰＳＣ、一次同期チャネル（Ｐ−ＳＣＨ）等とも称されうる。二次同期信号は、ＳＳＣ、二次同期チャネル（Ｓ−ＳＣＨ）等とも称されうる。一次同期信号及び二次同期信号は、他の名称によっても称されうる。
【００１７】
図２は、１つの設計に従う、各セルのための一次同期信号及び二次同期信号の送信の例を示す。ダウンリンクのための送信タイムラインは、ラジオ・フレームの単位に分割されうる。各ラジオ・フレームは、予め定められた持続期間（例えば１０ミリ秒（ｍｓ））を有することができ、０乃至１９のインデクスを有する２０のスロットに分割されうる。各スロットは、例えば６又は７のＯＦＤＭ記号のような、一定の数又は設定可能な数の直交周波数分割多重（ＯＦＤＭ）記号をカバーすることができる。図２に示す設計において、一次同期信号及び二次同期信号は、各ラジオ・フレームのスロット０乃至１０の各々において２つのＯＦＤＭ記号で送信される。一般に、一次同期信号及び二次同期信号はそれぞれ、例えば各ラジオ・フレーム内での任意の回数のような、任意のレートで送信されうる。二次同期信号は、一次同期信号の付近（例えば、直前又は直後の何れか）に送信されることができ、そのため、チャネル推定が一次同期信号から導出され、二次同期信号のコヒーレント検出のために用いられうる。
【００１８】
各セルは、そのセルのある範囲内の全てのセル間でユニークであるセルＩＤを割り当てられうる。これにより、各ＵＥは、ＵＥの場所に関わらず、そのＵＥによって検出されたセル全てをユニークに識別することができる。システムは、セルＩＤのセットをサポートすることができる。各セルはその後、サポートされたセルＩＤのセットから、特定のセルＩＤを割り当てられうる。
【００１９】
１つの設計において、各セルは、そのセルによって送信される一次同期信号及び二次同期信号において自身のセルＩＤを伝送することができる。ＵＥにおける検出の複雑性を低減するために、セルＩＤは、２つの部分に分割されうる。第１のセルＩＤ部分は、一次同期信号において伝送されうる。第２のセルＩＤ部分は、二次同期信号において伝送されうる。
【００２０】
ＵＥは、２段階の検出処理を用いて、セルからの一次同期信号及び二次同期信号を検出することができる。ＰＳＣ検出段階において、ＵＥは、セルからの一次同期信号を検出することができる。ＵＥは、この段階でセル・タイミングを有することができないので、各サンプル期間において一次同期信号を検出しうる。ＰＳＣ検出段階の各サンプル期間において試験する仮説の数を低減するために、比較的小さい第１のセルＩＤ部分を有することが望ましい。ＳＳＣ検出段階において、ＵＥは、検出された一次同期信号を用いて、各セルからの二次同期信号を検出することができる。
【００２１】
１つの設計において、５０４のユニークなセルＩＤのセットが、システムによってサポートされる。５０４のセルＩＤは、１６８のユニークなセルＩＤグループに分割され、各セルＩＤグループは、３つのユニークなセルＩＤを含む。このグループ化は、各セルＩＤが１つのセルＩＤグループのみに含まれるようにする。セルＩＤは以下のように表されうる。  
【数１】
2010529722.tif 000003
【００２２】
ここで、ＣＩＤ∈｛０，・・・，５０３｝はセルＩＤであり、  
ＧＩＤ∈｛０，・・・，１６７｝は、セルＩＤが属するセルＩＤグループのインデクスであり、  
ＮＩＤ∈｛０，１，２｝は、セルＩＤグループ内の特定のＩＤのインデクスである。
【００２３】
式（１）に示す設計において、セルＩＤは、（ｉ）０乃至１６７の範囲内であり、セルＩＤグループを表している第１の数、（ｉｉ）０乃至２の範囲内であり、セルＩＤグループ内のＩＤを表している第２の数、によってユニークに定義される。
【００２４】
３つのＰＳＣシーケンスが、３つの可能なＮＩＤ値、すなわち各グループ内の３つのセルＩＤのために定義されうる。更に、１６８のＳＳＣシーケンスが、１６８の可能なＧＩＤ値、すなわち１６８の可能なセルＩＤグループのために定義されうる。ＰＳＣシーケンス及びＳＳＣシーケンスは、以下のように表すことができる。  
・ＰＳＣ（ＮＩＤ）は、インデクスＮＩＤのＰＳＣシーケンスを表し、ＮＩＤ∈｛０，１，２｝である。  
・ＳＳＣ（ＧＩＤ）は、インデクスＧＩＤのＳＳＣシーケンスを表し、ＧＩＤ∈｛０，・・・，１６７｝である。
【００２５】
３つのＰＳＣシーケンスは、ＰＳＣ（０）、ＰＳＣ（１）、及びＰＳＣ（２）と記載されうる。１６８のＳＳＣシーケンスは、ＳＳＣ（０）、ＳＳＣ（１）、・・・、ＳＳＣ（１６７）と記載されうる。ＰＳＣシーケンスは、ＰＳＣ符号、Ｐ−ＳＣＨ符号、一次同期シーケンス等とも称されうる。ＳＳＣシーケンスは、ＳＳＣ符号、Ｓ−ＳＣＨ符号、二次同期シーケンス等とも称されうる。
【００２６】
図３は、式（１）に従う、ＰＳＣシーケンス及びＳＳＣシーケンスへのセルＩＤのマッピングを示す。セルＩＤは、０乃至５０３の範囲であることができ、各々が３つの連続するセルＩＤを含むセルＩＤグループ０乃至１６７に分割されうる。各グループｍ内の３つのセルＩＤは、ＰＳＣ（０）、ＰＳＣ（１）、及びＰＳＣ（２）と、同一のＳＳＣ（ｍ）とにマップされうる。従って、セルＩＤ０は、ＰＳＣ（０）及びＳＳＣ（０）にマップされ、セルＩＤ１は、ＰＳＣ（１）及びＳＳＣ（０）にマップされ、と続き、セルＩＤ５０３は、ＰＳＣ（２）及びＳＳＣ（１６７）にマップされることができる。
【００２７】
ＰＳＣシーケンス及びＳＳＣシーケンスは、様々な方式で生成されうる。１つの設計において、ＰＳＣシーケンスは、以下のようにＺａｄｏｆｆ−Ｃｈｕシーケンスに基づいて生成されうる。  
【数２】
2010529722.tif 000004
【００２８】
ここで、ｕは、ＮＩＤによって決定されるルート・インデクスであり、ｄｐｓｃ（ｎ）は、ＰＳＣシーケンスであり、ｎはサンプル・インデクスである。  
異なるＰＳＣシーケンスが、Ｚａｄｏｆｆ−Ｃｈｕシーケンスのための異なるインデクスｕを用いて生成されうる。ｕは、ＮＩＤによって決定される。例えばｕは、０、１、及び２のＮＩＤに対してそれぞれ、２５、２９、及び３４に等しい。
【００２９】
１つの設計において、ＳＳＣシーケンスは、以下のように、最大長シーケンス（Ｍシーケンス）に基づいて生成されうる。  
【数３】
2010529722.tif 000005
【００３０】
ここで、ｓ０（ｎ）及びｓ１（ｎ）は、ＧＩＤに基づいて生成された、Ｍシーケンスの２つの循環シフトであり、
ｃ０（ｎ）及びｃ１（ｎ）は、ＮＩＤに基づいて生成された、２つのスクランブル・シーケンスであり、  
ｚ０（ｎ）及びｚ１（ｎ）は、ＧＩＤに基づいて生成された、２つのスクランブル・シーケンスであり、  
ｄｓｓｃ（ｎ）は、ＳＳＣシーケンスである。
【００３１】
式のセット（３）に示す設計において、Ｍシーケンスの２つの循環シフトは、ＳＳＣシーケンスを生成するために、インタリーブされ、スクランブルされる。スロット０のためのＳＳＣシーケンスは、スロット１０のためのＳＳＣシーケンスとは異なる方式で生成される。異なるＳＳＣシーケンスが、Ｍシーケンスの異なる循環シフトを用いて生成されうる。循環シフトは、ＧＩＤによって決定される。
【００３２】
Ｚａｄｏｆｆ−Ｃｈｕシーケンスに基づくＰＳＣの生成、及びＭシーケンスに基づくＳＳＣシーケンスの生成は、“Evolved Universal Terrestrial Radio Access (E-UTRA); Physical Channels and Modulation (Release 8)”と題された、公的に入手可能な３ＧＰＰ  ＴＳ  ３６．２１１において説明される。ＰＳＣシーケンス及びＳＳＣシーケンスは、他の方式によっても生成されうる。
【００３３】
一般に、本システムは、任意の数のセルＩＤをサポートすることができ、セルＩＤは、任意の数のグループに構成されることができ、各グループは、任意の数のセルＩＤを含むことができる。グループの数及び各グループ内のセルＩＤの数は、ＰＳＣ検出及びＳＳＣ検出の複雑さに基づいて選択されうる。小さなグループ・サイズの場合、ＰＳＣ検出の複雑さは軽減され、ＳＳＣ検出の複雑さは増加する。逆のことが、大きなグループ・サイズについて当てはまる。明確化のために、以下の説明のほとんどは、１６８のセルＩＤグループと、各セルＩＤグループ内の３つのセルＩＤとを有する、式（１）に示す設計に関する。
【００３４】
ＰＳＣシーケンスは、一次同期信号を生成するために処理されうる。ＳＳＣシーケンスは、二次同期信号を生成するために処理されうる。ＰＳＣシーケンスと一次同期信号との間には一対一マッピングがあり、ＳＳＣシーケンスと二次同期信号との間にも一対一マッピングがあることができる。
【００３５】
局面において、システム内のセルは、ＵＥによるセル検出性能を改善するような方式で、ＰＳＣシーケンス及びＳＳＣシーケンスを割り当てられうる。１つの設計において、ノードＢ内の隣接するセルが、異なるＰＳＣシーケンスを割り当てられうる。ノードＢが３つのセルを有する場合、第１のセルはＰＳＣ（０）を割り当てられ、第２のセルはＰＳＣ（１）を割り当てられ、第３のセルはＰＳＣ（２）を割り当てられることができる。ノードＢが３より少ない数のセルを有する場合、３つのＰＳＣシーケンスのサブセットが用いられうる。各セルについて１つのＰＳＣシーケンスである。ノードＢが３より多い数のセルを有する場合、例えば、３つのＰＳＣシーケンスを必要な回数循環し、隣接するセルに異なるＰＳＣシーケンスを割り当てることによって、３つのＰＳＣシーケンスが複数回用いられうる。別の設計において、１つのＰＳＣシーケンスが、ノードＢ内のセル全てのために用いられうる。
【００３６】
１つの設計において、２つのセルが同一のＳＳＣシーケンスを割り当てられることがないように、ノードＢ内の異なるセルは、異なるＳＳＣシーケンスを割り当てられうる。ＳＳＣシーケンスの異なるグループは、システム内の利用可能な全てのＳＳＣシーケンスに基づいて形成されうる。各グループは、ノードＢ内の異なるセルに割り当てられうる異なるＳＳＣシーケンスを含むことができる。
【００３７】
１つの設計において、ＰＳＣシーケンスとＳＳＣシーケンスとの異なる組合せが、ノードＢ内の各セルのために用いられる。この設計は、ＵＥが、「ＳＦＮ」効果とも称される、ＰＳＣとＳＳＣとの間のフェーズ・ミスマッチを観測することを防ぐことができる。ＵＥは、セルからのＰＳＣを検出することができ、その後、セルからのＳＳＣのコヒーレント検出のためのフェーズ参照としてＰＳＣを用いることができる。ＰＳＣのフェーズは、ＰＳＣシーケンス及びＳＳＣシーケンスがどのようにセルに割り当てられたかによって、ＳＳＣのフェーズと一致することもしないこともある。
【００３８】
ノードＢが、３つの異なるＰＳＣシーケンス及び同一のＳＳＣシーケンスを割り当てられた３つのセルを有する場合、ＵＥは、これらのセルからの３つの異なる一次同期信号に基づいて、３つのセルのための複合チャネル利得ｈ１、ｈ２、及びｈ３を推定することができる。しかし、これらのセルからの３つの二次同期信号は同一であり、ＵＥにおける複合チャネル利得ｈ＝ｈ１＋ｈ２＋ｈ３で受信されうる。従って、チャネル利得ｈ１、ｈ２、及びｈ３のうちの任意の１つが、二次同期信号のコヒーレント検出のために用いられた場合、フェーズ・ミスマッチが生じるであろう。
【００３９】
ノードＢ内の３つのセルが、３つの異なるＰＳＣシーケンス及び３つの異なるＳＳＣシーケンスを割り当てられた場合、ＵＥは、３つのセルのための複合チャネル利得ｈ１、ｈ２、及びｈ３で３つの二次同期信号を受信するであろう。ＵＥはその後、各セルからの二次同期信号のコヒーレント検出を、そのセルからの一次同期信号から導出されたチャネル利得を用いて実行することができるであろう。
【００４０】
各ノードＢ内の異なるセルのための異なるＳＳＣシーケンスを用いることにより、ＵＥが、これらのセルによって送信されたダウンリンク物理チャネルとＳＳＣチャネルとの間のフェーズ・ミスマッチを観測することも防がれる。セルからのＳＳＣの検出後、ＵＥは、そのセルによって送信された他の物理チャネルを復調するためのフェーズ参照としてＳＳＣを用いることができる。これらの物理チャネルは、ブロードキャスト・データを搬送する物理ブロードキャスト・チャネル（ＰＢＣＨ）、トラヒック・データを搬送する物理ダウンリンク共有チャネル（ＰＤＳＣＨ）、制御情報又はシグナリングを搬送する物理ダウンリンク制御チャネル（ＰＤＣＣＨ）等を含むことができる。ノードＢ内の異なるセルのために異なるＳＳＣシーケンスを用いることによって、ＵＥは、各セルからの二次同期信号に基づいて、そのセルのための明確なチャネル推定を取得することができる。ＵＥはその後、各セルからの二次同期信号から導出されたチャネル推定に基づいて、そのセルからの他の物理チャネルを復調することができる。
【００４１】
１つの設計において、Ｍ個の異なるＳＳＣシーケンスのグループが形成され、１つのノードＢ内のＭ個の異なるセルに割り当てられうる。ここでＭは、１より大きい任意の整数値であることができる。Ｍ個のＳＳＣシーケンスのインデクスは、Ｇ１、Ｇ２、Ｇ３、・・・、ＧＭと記載され、ここで、ｍ＝１，・・・，Ｍのとき、Ｇｍ∈｛０，・・・，１６７｝である。Ｍ個のＳＳＣシーケンスのグループは、ＳＳＣ（Ｇ１）、ＳＳＣ（Ｇ２）、ＳＳＣ（Ｇ３）、・・・、ＳＳＣ（ＧＭ）と記載されうる。Ｍ個のＳＳＣシーケンスの追加のグループが、Ｍ個のＳＳＣシーケンスの異なる順列に基づいて取得されうる。各順列は、Ｍ個のＳＳＣシーケンスの異なる順序に対応する。
【００４２】
１つの設計において、Ｍ個のＳＳＣシーケンスのグループのＭ個の順列は、以下のように、Ｍ個のＳＳＣシーケンスのグループを循環シフトすることによって取得されうる。  
・ＳＳＣ（Ｇ１）、ＳＳＣ（Ｇ２）、ＳＳＣ（Ｇ３）、・・・、ＳＳＣ（ＧＭ）―  循環シフトなしの元のグループ  
・ＳＳＣ（ＧＭ）、ＳＳＣ（Ｇ１）、ＳＳＣ（Ｇ２）、・・・、ＳＳＣ（ＧＭ−１）―  １の循環シフト  
・ＳＳＣ（ＧＭ−１）、ＳＳＣ（ＧＭ）、ＳＳＣ（Ｇ１）、・・・、ＳＳＣ（ＧＭ−２）―  ２の循環シフト  
・ＳＳＣ（Ｇ２）、ＳＳＣ（Ｇ３）、ＳＳＣ（Ｇ４）、・・・、ＳＳＣ（Ｇ１）―  Ｍ−１の循環シフト
上記の循環シフトは、Ｍ個のＳＳＣシーケンスのためのインデクスＧ１乃至ＧＭにおけるものであり、任意のＳＳＣシーケンス自体におけるものではない。Ｍ個のＳＳＣシーケンスの最大Ｍ個の異なるグループが、Ｍ個のＳＳＣシーケンスの元のグループの最大Ｍ個の異なる循環シフトによって形成されうる。これらＭ個のＳＳＣシーケンスの異なる循環シフトされたグループは、システム中に位置する異なるノードＢに割り当てられうる。Ｍ個のＳＳＣシーケンスの循環シフトされたグループを用いて割り当てられたノードＢは、ＵＥが、複数のノードＢからのＭ個のＳＳＣシーケンスの複数の循環シフトされたグループを検出することがないように、間隔を空けられうる。これにより、異なるノードＢにおけるセルの検出の曖昧さが回避されうる。
【００４３】
１つの設計において、３つのＳＳＣシーケンスの３つの循環シフトされたグループが以下のように形成されうる。  
・ＳＳＣ（Ｇ１）、ＳＳＣ（Ｇ２）、ＳＳＣ（Ｇ３）―  循環シフトなしの元のグループ  
・ＳＳＣ（Ｇ３）、ＳＳＣ（Ｇ１）、ＳＳＣ（Ｇ２）―  １の循環シフト  
・ＳＳＣ（Ｇ２）、ＳＳＣ（Ｇ３）、ＳＳＣ（Ｇ１）―  ２の循環シフト
１つの設計において、３つのＳＳＣシーケンスの３つの循環シフトされたグループが、表１に示すように３つのノードＢに割り当てられうる。表１に示す設計の場合、３つのＰＳＣシーケンスと、ＳＳＣシーケンスの異なる循環シフトされたグループとが、各ノードＢ内の３つのセルのために用いられ、９つのユニークなセルＩＤが、３つのノードＢ内の９つのセルのために用いられる。  
【表１】
2010529722.tif 000006
【００４４】
表１の設計は、以下の有益な特徴を有する。
【００４５】
・与えられたノードＢ内の各セルが、異なるＰＳＣシーケンスを用いる。  
・与えられたノードＢ内の各セルが、異なるＳＳＣシーケンスを用いる。  
・各セルからのＰＳＣが、ＳＳＣ検出のためのフェーズ参照として用いられうる。  
・各セルからのＳＳＣが、そのセルからの他のダウンリンク物理チャネルを復調するためのフェーズ参照として用いられうる。
【００４６】
別の設計において、３つのＳＳＣシーケンスの３つの循環シフトされたグループは、表２に示すように、３つのノードＢに割り当てられうる。表２に示す設計の場合、単一のＰＳＣシーケンスＰＳＣ（ｘ）が、３つのノードＢ内の全てのセルのために用いられ、ＳＳＣシーケンスの異なる循環シフトされたグループが、各ノードＢ内の３つのセルのために用いられ。同じ３つのユニークなセルＩＤが、各ノードＢ内の３つのセルのために用いられる。  
【表２】
2010529722.tif 000007
【００４７】
表１及び表２に示す設計において、ＳＳＣシーケンスの３つの循環シフトされたグループが、３つのノードＢのために用いられうる。これらのノードＢは、１つのノードＢ内のセルしか任意のＵＥによって検出されないように、十分に離れた間隔を空けられうる。
【００４８】
一般に、Ｍ個のＳＳＣシーケンスの任意の数のグループが、Ｍ個のＳＳＣシーケンスの元のグループの任意の数の順列を用いて形成されうる。この順列は、Ｍ個のＳＳＣシーケンスの追加のグループの生成を簡略化し、Ｍ個のＳＳＣシーケンスのこれらのグループを用いて割当てられたセルのユニークなセルＩＤの使用を確実にすることができる循環シフトによって達成されうる。この順列は、他の方式でＭ個のＳＳＣシーケンスを並び替えることによっても達成されうる。
【００４９】
１つの設計において、特定のＳＳＣシーケンスが１つにグループ化され、同じノードＢ内のセルのために用いられうる。例えば、利用可能なＳＳＣシーケンスが、Ｍ個のＳＳＣシーケンスのグループに構成され、Ｍ個のＳＳＣシーケンスの各グループが、１つのノードＢ内のセルのために用いられうる。この設計により、検出されたセルが同一のノードＢ内にあるかをＵＥが確かめることが可能になるであろう。この情報は、効率的な動作のために役立てることができる。例えば、同じノードＢ内のセルは同じタイミングを有するので、ＵＥは、与えられたノードＢ内の第１のセルのみのタイミングを取得し、そのタイミングを、そのノードＢ内の残りのセルの各々に用いることができる。ＵＥはまた、ノードＢ間のハンドオーバーに必要となりうるランダム・アクセスを実行することなく、同じノードＢ内の１つのセルから別のセルへのノードＢ内ハンドオーバーを実行することもできる。
【００５０】
別の設計において、Ｍ個より多い数のＳＳＣシーケンスのより大きなグループが、Ｍ個のＳＳＣシーケンスの異なる順列の（例えば循環シフトされた）グループを用いて形成されうる。Ｍ個より多い数のＳＳＣシーケンスのより大きなグループは、Ｍ個より多い数のセルを有するノードＢに割り当てられうる。例えば、Ｍは３に等しく、３つのＳＳＣシーケンスＳＳＣ（Ｇ１）、ＳＳＣ（Ｇ２）、及びＳＳＣ（Ｇ３）が形成されうる。Ｋ個のＳＳＣシーケンスのより大きなグループが、３つのＳＳＣシーケンスの異なる循環シフトされたグループを用いて形成されうる。ここでＫは、４、５、６等であることができる。Ｋは、Ｍの整数倍であってもなくてもよい。Ｋ個のＳＳＣシーケンスのより大きなグループは、Ｋ個のセルを有するノードＢに割り当てられうる。この設計は、異なる数のセルを有するノードＢをサポートするために用いられ、更に、ＵＥが、検出されたＳＳＣシーケンスに基づいて同じノードＢ内のセルを決定することを可能にすることができる。
【００５１】
本明細書で説明される技術は、以下の利点を提供することができる。  
・各セルのＰＳＣとＳＳＣとの間のフェーズの不一致を防ぐ。  
・各セルのＳＳＣと、その他のダウンリンクチャネルとの間のフェーズの不一致を防ぐ。  
・ＳＳＣシーケンスの追加のグループの単純な循環シフト構成。  
・ノードＢ内に３つより多い数のセルがある場合でも、ＵＥが、同じノードＢ内のセルを決定することを可能にする。
【００５２】
図４は、図１のノードＢのうちの１つ及び図１のＵＥのうちの１つである、ノードＢ１１０及びＵＥ１２０の設計のブロック図を示す。この設計において、ノードＢ１１０は、Ｔ個のアンテナ４３４ａ乃至４３４ｔを備え、ＵＥ１２０は、Ｒ個のアンテナ４５２ａ乃至４５２ｒを備える。ここでは一般に、Ｔ≧１かつＲ≧１である。
【００５３】
ノードＢ１１０において、送信プロセッサ４２０は、１つ又は複数のＵＥのためのデータをデータ・ソース４１２から受け取り、そのＵＥのために選択された１つ又は複数の変調及び符号化スキームに基づいて各ＵＥのためのデータを処理し、全てのＵＥのためのデータ記号を提供する。送信プロセッサ４２０はまた、各セルのための一次同期信号及び二次同期信号を生成し、全ての一次同期信号及び二次同期信号のためのサンプルを提供することもできる。送信（ＴＸ）複数入力複数出力（ＭＩＭＯ）プロセッサ４３０は、同期信号のためのデータ記号、パイロット記号、及びサンプルを多重化し、適用可能であれば多重化された記号及びサンプルに空間処理（例えば、前符号化）を実行し、Ｔ個の出力記号ストリームをＴ個の変調器（ＭＯＤ）４３２ａ乃至４３２ｔへ提供することができる。各変調器４３２は、出力チップ・ストリームを取得するために、（例えばＯＦＤＭのための）それぞれの出力記号ストリームを処理することができる。各変調器４３２は更に、出力チップ・ストリームを処理（例えば、アナログ変換、増幅、フィルタ、及びアップコンバート）し、ダウンリンク信号を取得することができる。変調器４３２ａ乃至４３２ｔからのＴ個のダウンリンク信号はそれぞれ、Ｔ個のアンテナ４３４ａ乃至４３４ｔを介して送信されうる。
【００５４】
ＵＥ１２０において、アンテナ４５２ａ乃至４５２ｒは、ノードＢ１１０からのダウンリンク信号を受信し、その受信信号を復調器（ＤＥＭＯＤ）４５４ａ乃至４５４ｒへそれぞれ提供することができる。各復調器４５４は、入力サンプルを取得するためにそれぞれの受信信号を調整（例えば、フィルタ、増幅、ダウンコンバート、及びデジタル化）し、受信記号を取得するために（例えばＯＦＤＭのための）入力サンプルを更に処理することができる。ＭＩＭＯ検出器４６０は、Ｒ個全ての復調器４５４ａ乃至４５４ｒからの受信記号を取得し、適用可能であれば受信信号にＭＩＭＯ検出を実行し、検出記号を提供することができる。受信プロセッサ４７０は、検出記号を処理（例えば、復調、デインタリーブ、及び復号）し、ＵＥ１２０のための復号済みデータをデータ・シンク４７２へ提供することができる。一般に、ＭＩＭＯ検出器４６０及び受信プロセッサ４７０による処理は、ノードＢ１１０のＴＸ  ＭＩＭＯプロセッサ４３０及び送信プロセッサ４２０による処理と相補的である。
【００５５】
アップリンクでは、ＵＥ１２０において、データ・ソース４７８からのデータと、コントローラ／プロセッサ４９０からのシグナリングとが、送信プロセッサ４８０によって処理され、適用可能であればＴＸ  ＭＩＭＯプロセッサ４８２によって更に処理され、変調器４５４ａ乃至４５４ｒによって調整され、ノードＢ１１０へ送信されることができる。ノードＢ１１０において、ＵＥ１２０からのアップリンク信号がアンテナ４３４によって受信され、復調器４３２によって調整され、適用可能であればＭＩＭＯ検出器４３６によって処理され、ＵＥ１２０によって送信されたデータ及びシグナリングを取得するために受信プロセッサ４３８によって更に処理されうる。
【００５６】
コントローラ／プロセッサ４４０及び４９０はそれぞれ、ノードＢ１１０及びＵＥ１２０での動作を指示することができる。メモリ４４２及び４９２はそれぞれ、ノードＢ１１０及びＵＥ１２０のためのデータ及びプログラム・コードを格納することができる。同期（Ｓｙｎｃ）プロセッサ４９４は、入力サンプルに基づいてセルからの一次同期信号及び二次同期信号を検出し、検出されたセル及びそれらのタイミング、セルＩＤ等を提供することができる。スケジューラ４４４は、ダウンリンク送信及び／又はアップリンク送信のためにＵＥをスケジュールし、スケジュールされたＵＥのためのリソースの割当てを提供することができる。
【００５７】
図５は、ノードＢ１１０の同期信号生成器５００の設計のブロック図を示す。生成器５００は、図４の送信プロセッサ４２０及び／又は変調器４３２の一部であることができる。生成器５００は、ノードＢ内のＭ個のセルのためのＭ個の同期信号生成器５１０ａ乃至５１０ｍを含む。各生成器５１０は、自身のセルのセルＩＤを受信し、そのセルのための一次同期信号及び二次同期信号を生成する。
【００５８】
セル１のための生成器５１０ａ内で、インデクス・マッパ５２０は、セル１のセルＩＤを受信し、例えば式（１）に示すように、そのセルＩＤのためのインデクスＧＩＤ及びＮＩＤを提供する。生成器５２２は、例えば図２に示すように、インデクスＮＩＤに基づいてセル１のためのＰＳＣシーケンスを生成する。生成器５２４は、例えばＰＳＣシーケンス内のサンプルを一次同期信号のために用いられるサブキャリアにマップし、マップされたサンプルにＯＦＤＭ変調を実行することにより、ＰＳＣシーケンスに基づいてセル１のための一次同期信号を生成する。
【００５９】
生成器５３２は、例えば式のセット（３）に示すように、インデクスＧＩＤ及びＮＩＤに基づいてセル１のためのＳＳＣシーケンスを生成する。生成器５３４は、例えばＳＳＣシーケンス内のサンプルを二次同期信号のために用いられるサブキャリアにマップし、マップされたサンプルにＯＦＤＭ変調を実行することにより、ＳＳＣシーケンスに基づいてセル１のための二次同期信号を生成する。
【００６０】
生成器５１０ｂ乃至５１０ｍはそれぞれ、セル２乃至セルＭのための一次同期信号及び二次同期信号を同様に生成する。各生成器５１０は、それぞれのセルのセルＩＤによって決定されたＰＳＣシーケンスとＳＳＣシーケンスとの異なる組合せに基づいて、そのセルのための一次同期信号及び二次同期信号を生成する。
【００６１】
図６は、図４のＵＥ１２０の同期プロセッサ４９４のブロック図を示す。同期プロセッサ４９４内で、サンプル・バッファ６１０は、入力サンプルを受信及び格納し、要求された場合、適切な入力サンプルを提供することができる。検出器６２０は、例えば各サンプル期間のような各タイミング仮説において一次同期信号を検出することができる。検出器６２０は、各タイミング仮説の相関結果を取得するために、入力サンプルを、異なる可能なＰＳＣシーケンスに相関付けることができる。検出器６２０はその後、相関結果に基づいて、一次同期信号が検出されたか否かを判定することができる。一次同期信号が検出された場合、検出器６２０は、一次同期信号内で送信された、検出されたＰＳＣシーケンス、記号タイミング、及び情報（例えばＮＩＤ）を提供することができる。ユニット６２２は、検出器６２０からの相関結果に基づいて周波数オフセットを推定することができる。チャネル推定器６２４は、検出されたＰＳＣシーケンスを入力サンプルから除去し、異なるサブキャリアのチャネル利得を導出することにより、チャネル推定を導出することができる。
【００６２】
ＳＳＣ検出は、一次同期信号が検出された場合常に実行されうる。ユニット６３２は、（例えば、スロット０又は１０において）ＯＦＤＭ記号のための入力サンプルを取得し、これらのサンプルから推定された周波数オフセットを除去する。離散フーリエ変換（ＤＦＴ）ユニット６３４は、周波数補正されたサンプルを周波数領域に変換し、受信記号を提供することができる。コヒーレント検出器６３６は、チャネル推定器６２４からのチャネル利得を用いて受信記号のコヒーレント検出を実行し、入力記号を提供することができる。検出器６４０は、検出器６２０からのセルＩＤ情報（例えば、ＮＩＤ）及び入力記号に基づいて、二次同期信号を検出することができる。検出器６４０は、入力記号を、異なる可能なＳＳＣシーケンスと相関付け、相関結果を取得することができ、相関結果に基づいて、二次同期信号が検出されたか否かを判定することができる。二次同期信号が検出された場合、検出器６４０は、二次同期信号において送信された、検出されたＳＳＣシーケンス、フレーム・タイミング、及び情報（例えばＧＩＤ）を提供することができる。ルックアップ・テーブル６４２は、検出されたＧＩＤ及びＮＩＤを受け取り、検出された各セルのセルＩＤを提供することができる。
【００６３】
図７は、無線通信システムにおいて同期信号を送信する処理７００の設計を示す。処理７００は、ノードＢによって実行されうる。少なくとも１つのＰＳＣシーケンスが、第１のノードＢ内の複数のセルのために用いられうる（ブロック７１２）。複数のＳＳＣシーケンスが、第２のノードＢ内の複数のセルのために用いられる複数のＳＳＣシーケンスの異なる順列を用いて、第１のノードＢ内の複数のセルのために用いられうる（ブロック７１４）。複数のＳＳＣシーケンスが共に関連付けられ、同じノードＢ内に属するセルを識別するために用いられうる。第１のノードＢ及び第２のノードＢのうちの多くとも１つからのセルが、システム内の任意のＵＥによって検出可能であるように、第１のノードＢ及び第２のノードＢは間隔を空けられうる。
【００６４】
一次同期信号が、第１のノードＢ内の各セルのために、そのセルのためのＰＳＣシーケンスに基づいて生成されうる（ブロック７１６）。ブロック７１６の場合、ＰＳＣシーケンスのサンプルがサブキャリアにマップされ、一次同期信号が、マップされたサンプルを用いて（例えば、マップされたサンプルにＯＦＤＭ変調を実行することにより）生成されうる。二次同期信号が、第１のノードＢ内の各セルのために、そのセルのためのＳＳＣシーケンスに基づいて生成されうる（ブロック７１８）。ブロック７１８の場合、ＳＳＣシーケンスのサンプルがサブキャリアにマップされ、二次同期信号が、マップされたサンプルを用いて生成されうる。
【００６５】
１つの設計において、単一のＰＳＣシーケンスが、第１のノードＢ内の全てのセルのために用いられうる。別の設計において、異なるＰＳＣシーケンスが、第１のノードＢ内の隣接するセルのために用いられうる。また別の設計において、異なるＰＳＣシーケンスが、第１のノードＢ内の各セルのために用いられることができるので、２つのセルが同じＰＳＣシーケンスを用いることはない。１つの設計において、異なるＳＳＣシーケンスが、第１のノードＢ内の各セルのために用いられることができるので、２つのセルが同じＳＳＣシーケンスを用いることはない。別の設計において、異なるＳＳＣシーケンスが、第１のノードＢ内の隣接するセルのために用いられうる。
【００６６】
１つの設計において、３つのＰＳＣシーケンス及び３つのＳＳＣシーケンスが、第１のノードＢ内の３つのセルのために用いられ、３つのＳＳＣシーケンスの順列（例えば循環シフト）が、第２のノードＢ内の３つのセルのために用いられる。３つのＳＳＣシーケンスＳＳＣ（Ｇ１）、ＳＳＣ（Ｇ２）、及びＳＳＣ（Ｇ３）はそれぞれ、第１のノードＢ内のセル１、２、及び３のために用いられることができる。ここで、Ｇ１、Ｇ２、及びＧ３は、３つのＳＳＣシーケンスのインデクスである。ＳＳＣ（Ｇ３）、ＳＳＣ（Ｇ１）、及びＳＳＣ（Ｇ２）を備える第１の順列、又はＳＳＣ（Ｇ２）、ＳＳＣ（Ｇ３）、及びＳＳＣ（Ｇ１）を備える第２の順列はそれぞれ、第２のノードＢ内の３つのセル１、２、及び３のために用いられうる。
【００６７】
第１のノードＢ内の各セルのためのＰＳＣシーケンス及びＳＳＣシーケンスは、そのセルのセルＩＤに基づいて決定されうる。１つの設計において、第１のノードＢ内の複数のセルと、第２のノードＢ内の複数のセルとは、異なるセルＩＤを割り当てられる。ＰＳＣシーケンスとＳＳＣシーケンスとの異なる組合せが、第１のノードＢ及び第２のノードＢ内の各セルのために用いられうる。
【００６８】
図８は、無線通信システムにおいて同期信号を送信する装置８００の設計を示す。装置８００は、第１のノードＢ内の複数のセルのための少なくとも１つのＰＳＣシーケンスを用いるモジュール８１２と、第２のノードＢ内の複数のセルのために用いられる複数のＳＳＣシーケンスの異なる順列を用いて、第１のノードＢ内の複数のセルのための複数のＳＳＣシーケンスを用いるモジュール８１４と、第１のノードＢ内の各セルのための一次同期信号を、そのセルのためのＰＳＣシーケンスに基づいて生成するモジュール８１６と、第１のノードＢ内の各セルのための二次同期信号を、そのセルのためのＳＳＣシーケンスに基づいて生成するモジュール８１８とを含む。
【００６９】
図９は、無線通信システムにおいてセルを検出する処理９００の設計を示す。処理９００は、ＵＥによって実行されうる。ＵＥは、検出可能な範囲内のノードＢ内のセルからのＰＳＣシーケンスを検出することができる（ブロック９１２）。各ノードＢは、複数のセルを備えることができ、各ノードＢ内の複数のセルは、少なくとも１つのＰＳＣシーケンスを用いることができる。ＵＥは、検出されたＰＳＣシーケンスを用いて、セルからのＳＳＣシーケンスを検出することができる（ブロック９１４）。各ノードＢ内の複数のセルは、複数のＳＳＣシーケンスの異なるグループを用いることができる。検出可能な範囲内の第１のノードＢ内の複数のセルのために用いられた複数のＳＳＣシーケンスのグループの順列は、検出可能な範囲外の第２のノードＢ内の複数のセルのために用いられうる。ＵＥは、検出されたＰＳＣシーケンス及び検出されたＳＳＣシーケンスに基づいて、検出されたセルを識別することができる（ブロック９１６）。例えばＵＥは、検出された各セルのセルＩＤを、そのセルのための検出されたＰＳＣシーケンス及びＳＳＣシーケンスに基づいて決定することができる。ＵＥは、各ノードＢ内の複数のセルのために用いられた複数のＳＳＣシーケンスの異なるグループに基づいて、同じノードＢ内に属する検出されたセルを識別することもできる。
【００７０】
１つの設計において、ＵＥは、検出可能な範囲内の各ノードＢ内の３つのセルからの少なくとも１つのＰＳＣシーケンスを検出することができる。ＵＥは、検出されたＰＳＣシーケンスを用いてＳＳＣシーケンスを検出する。ここで、各ノードＢ内の３つのセルは、３つのＳＳＣシーケンスの異なるグループを用いる。第１のノードＢ内の３つのセルのための３つのＳＳＣシーケンスのグループの順列が、第２のノードＢ内の３つのセルのために用いられうる。
【００７１】
ブロック９１２の１つの設計において、ＵＥは、検出可能な範囲内のノードＢ内のセルからの一次同期信号を検出し、検出された一次同期信号を用いて、各セルのためのＰＳＣシーケンスを識別することができる。ブロック９１４の１つの設計において、ＵＥは、検出された一次同期信号を用いて、各セルからの二次同期信号を検出し、検出された二次同期信号を用いて、各セルのためのＳＳＣシーケンスを識別することができる。ＵＥは、検出された一次同期信号に基づいて、検出された一次同期信号を用いて、各セルのためのチャネル推定を導出することができる。ＵＥはその後、各セルのためのチャネル推定に基づいて、検出された一次同期信号を用いて、そのセルからの二次同期信号を検出することができる。１つの設計において、ＵＥは、検出された二次同期信号に基づいて、検出された二次同期信号を用いて、各セルのためのチャネル推定を導出することができる。ＵＥはその後、各セルのためのチャネル推定に基づいて、検出された二次同期信号を用いて、そのセルからの少なくとも１つの物理チャネルを復調することができる。
【００７２】
図１０は、無線通信システムにおける、セルを検出する装置１０００の設計を示す。装置１０００は、検出可能な範囲内のノードＢ内のセルからのＰＳＣシーケンスを検出するモジュール１０１２と、検出されたＰＳＣシーケンスを用いてセルからのＳＳＣシーケンスを検出するモジュール１０１４と、検出されたＰＳＣシーケンス及び検出されたＳＳＣシーケンスに基づいて、検出されたセルを識別するモジュール１０１６とを含む。
【００７３】
図８及び図１０におけるモジュールは、プロセッサ、電子デバイス、ハードウェア・デバイス、電子的構成要素、論理回路、メモリ等、又はそれらの組合せを備えることができる。
【００７４】
当業者は、情報及び信号が、様々な異なる技術及び技法のうちの任意の１つを用いて表されうることを理解するであろう。例えば、上記記載を通して参照されうるデータ、命令、コマンド、情報、信号、ビット、記号、及びチップは、電圧、電流、電磁波、磁界あるいは磁気粒子、光場あるいは光学粒子、又はそれらの任意の組合せによって表されうる。
【００７５】
当業者は更に、本明細書における開示に関連して説明された様々な例示的論理ブロック、モジュール、回路、及びアルゴリズム・ステップが、電子工学的ハードウェア、コンピュータ・ソフトウェア、又はそれら両方の組合せとして実現されうることを理解するであろう。このハードウェアとソフトウェアとの相互置換性を明確に説明するために、例示となる様々な構成要素、ブロック、モジュール、回路、及びステップが、それらの機能の観点から一般に上述された。そのような機能がハードウェアとして実現されるかソフトウェアとして実現されるかは、特定のアプリケーション及びシステム全体に課された設計制約による。当業者は、各特定のアプリケーションのために様々な方法で上述した機能を実現することができるが、そのような実現の決定は、本開示の範囲から逸脱させるものとして解釈されてはならない。
【００７６】
本明細書における開示に関連して説明された例示となる様々な論理ブロック、モジュール、及び回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア部品、又は上述された機能を実行するために設計された上記の任意の組合せによって実現又は実行されうる。汎用プロセッサとして、マイクロプロセッサを用いることができるが、代わりに、従来技術によるプロセッサ、コントローラ、マイクロコントローラ、又は状態機器を用いることも可能である。プロセッサはまた、例えばＤＳＰとマイクロプロセッサとの組合せ、複数のマイクロプロセッサ、ＤＳＰコアに接続された１つ又は複数のマイクロプロセッサ、又はそのような任意の構成である計算デバイスの組合せとして実現することもできる。
【００７７】
本明細書における開示に関連して記載された方法又はアルゴリズムのステップは、ハードウェアによって直接、プロセッサによって実行されるソフトウェア・モジュールによって、又はこれらの組合せによって具現化されうる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、又は当該技術において周知であるその他任意の形式の記憶媒体に収納されうる。典型的な記憶媒体は、プロセッサがそこから情報を読み取り、またそこへ情報を書き込むことができるように、プロセッサに結合される。または、記憶媒体は、プロセッサに統合されうる。このプロセッサと記憶媒体とは、ＡＳＩＣ内に存在することができる。ＡＳＩＣは、ユーザ端末内に存在することができる。あるいはプロセッサと記憶媒体とは、ユーザ端末のディスクリート部品として存在することもできる。
【００７８】
１つまたは複数の典型的な設計において、説明された機能は、ハードウェア、ソフトウェア、ファームウェア、又はこれらの任意の組合せによって実現されうる。ソフトウェアによる実現の場合、機能は、コンピュータ読取可能媒体上のコード又は１つ又は複数の命令として格納されるか、送信されうる。コンピュータ読取可能媒体は、１つの場所から別の場所へのコンピュータ・プログラムの転送を容易にする任意の媒体を含むコンピュータ記憶媒体及び通信媒体の両方を含む。記憶媒体は、汎用又は専用コンピュータによってアクセスすることができる任意の利用可能な媒体であることができる。限定ではなく一例として、そのようなコンピュータ読取可能媒体は、ＲＡＭ、ＲＯＭ、ＥＥＰＲＯＭ、ＣＤ−ＲＯＭあるいはその他の光学ディスク記憶媒体、磁気ディスク記憶媒体あるいはその他の磁気記憶デバイス、又は、命令あるいはデータ構成の形式で所望のプログラム・コード手段を搬送あるいは格納するために用いられることができ、汎用あるいは専用コンピュータ又は汎用あるいは専用プロセッサによってアクセスすることができるその他任意の媒体を備えることができる。また、任意の接続が、適切にコンピュータ読取可能媒体と称される。例えば、ソフトウェアが、ウェブサイト、サーバ、又はその他の遠隔ソースから、同軸ケーブル、光ファイバー・ケーブル、ツイスト・ペア、デジタル加入者線（ＤＳＬ）、又は例えば赤外線、無線、及びマイクロ波のような無線技術を用いて送信された場合、同軸ケーブル、光ファイバー・ケーブル、ツイスト・ペア、ＤＳＬ、又は例えば赤外線、無線、及びマイクロ波のような無線技術は、媒体の定義に含まれる。ディスク（ｄｉｓｋ）及びディスク（ｄｉｓｃ）は、本明細書で用いられるように、コンパクト・ディスク（ｄｉｓｃ）（ＣＤ）、レーザ・ディスク（ｄｉｓｃ）、光学ディスク（ｄｉｓｃ）、デジタル・バーサタイル・ディスク（ｄｉｓｃ）（ＤＶＤ）、フロッピー（登録商標）・ディスク（ｄｉｓｋ）、及びブルーレイ・ディスク（ｄｉｓｃ）を含み、ディスク（ｄｉｓｋ）は通常、データを磁気的に再生するが、ディスク（ｄｉｓｃ）はレーザを用いてデータを光学的に再生する。上記の組合せもまた、コンピュータ読取可能媒体の範囲内に含まれるべきである。
【００７９】
本開示における上記記載は、当業者をして、本開示の製造又は利用を可能とするために提供される。本開示への様々な変更もまた、当業者には明らかであり、本明細書で定義された一般原理は、本開示の精神又は範囲から逸脱することなく他の変形例にも適用されうる。従って本開示は、本明細書で説明された設計及び例に限定することは意図されておらず、本明細書に開示された原理及び新規特徴と整合が取れた最も広い範囲に一致するように意図されている。
【図１】
2010529722.tif 000008
【図２】
2010529722.tif 000009
【図３】
2010529722.tif 000010
【図４】
2010529722.tif 000011
【図５】
2010529722.tif 000012
【図６】
2010529722.tif 000013
【図７】
2010529722.tif 000014
【図８】
2010529722.tif 000015
【図９】
2010529722.tif 000016
【図１０】
2010529722.tif 000017
【国際調査報告】
2010529722.tif 000018
2010529722.tif 000019